【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
画像データを表示する表示手段と、
他装置に関連付けられた人物を識別する少なくとも顔画像データを含む人物識別情報を保持する保持手段と、
前記画像データの中の被写体を検出する検出手段と、
前記検出手段で検出した被写体を選択する被写体選択手段と、
前記被写体選択手段で選択した被写体と前記保持手段で保持した人物識別情報とを照合する照合手段と、
前記照合手段の照合結果を、前記画像データと同一画面において表示する照合結果表示手段と、
前記照合手段の照合結果に基づき、前記画像データを送信する通信手段とを有し、
前記照合手段は、前記被写体選択手段で選択した被写体と前記人物識別情報との類似度を判定し、
前記照合結果表示手段は、該類似度が所定値よりも高いと判断した前記人物識別情報に対応する前記顔画像データの少なくとも一つを選択可能に表示することを特徴とする撮像装置。
【請求項２】
前記顔画像データを拡大する拡大手段を有し、
前記画像データと前記拡大手段で拡大表示した顔画像データとを同一画面に表示するようにしたことを特徴とする請求項１に記載の撮像装置。
【請求項３】
前記照合結果表示手段は、前記顔画像データを画面内に表示しきれないとき、その旨を表示することを特徴とする請求項１に記載の撮像装置。
【請求項４】
前記被写体選択手段で選択する被写体が少なくとも二つ以上あるとき、前記画像データの送信後に前記被写体選択手段による被写体の選択を自動で切り替えることを特徴とする請求項１に記載の撮像装置。
【請求項５】
前記通信手段は、前記画像データを即時送信する即時送信手段と前記画像データを後でまとめて送信する予約送信手段とを有することを特徴とする請求項１に記載の撮像装置。
【請求項６】
他装置との接続状態を検知する接続状態検知手段を有し、
前記接続状態検知手段の検知結果により、前記即時送信手段か前記予約送信手段かを切り替えるようにしたことを特徴とする請求項５に記載の撮像装置。
【請求項７】
他装置との接続状態を検知する接続状態検知手段を有し、
前記被写体選択手段で選択する被写体が少なくとも２つ以上ある場合において該被写体のいずれかを選択する際、前記接続状態検知手段の検知結果に基づき、前記被写体選択手段による被写体の選択先を決定することを特徴とする請求項１に記載の撮像装置。
【請求項８】
他装置との接続状態を検知する接続状態検知手段を有し、
前記被写体選択手段は、表示された前記画像データにおいて被写体を選択する構成であり、前記接続状態検知手段の検知結果により、その表示態様を変更することを特徴とする請求項１に記載の撮像装置。
【請求項９】
他装置との接続状態を検知する接続状態検知手段を有することを特徴とする請求項１に記載の撮像装置。
【請求項１０】
前記照合結果表示手段は、前記照合手段の照合結果と前記接続状態検知手段の検知結果とに基づき、前記顔画像データの表示順序を決定することを特徴とする請求項９に記載の撮像装置。
【請求項１１】
前記照合結果表示手段が表示する前記顔画像データを選択する顔画像選択手段を有し、
前記接続状態検知手段の検知結果により、前記顔画像選択手段の表示態様を変更することを特徴とする請求項９又は１０に記載の撮像装置。
【請求項１２】
前記人物識別情報に対応する他装置へ前記画像データを送信したか否かを判定する送信判定手段を有することを特徴とする請求項１に記載の撮像装置。
【請求項１３】
前記照合結果表示手段は、前記照合手段の照合結果と前記送信判定手段の判定結果とに基づき、前記顔画像データの表示順序を決定することを特徴とする請求項１２に記載の撮像装置。
【請求項１４】
前記送信判定手段の判定結果により、前記被写体選択手段の表示態様を変更することを特徴とする請求項１２に記載の撮像装置。
【請求項１５】
画像データを表示する表示手段と、
他装置の所有者を識別する所有者識別情報を保持する保持手段と、
顔画像データを受信する受信手段と、
前記受信手段で受信した顔画像データと前記保持手段で保持する所有者識別情報とを関連付ける関連付け手段と、
前記画像データの中の被写体を検出する検出手段と、
前記検出手段で検出した被写体を選択する被写体選択手段と、
前記被写体選択手段で選択した被写体と前記保持手段で保持した所有者識別情報とを照合する照合手段と、
前記照合手段の照合結果を、前記画像データと同一画面において表示する照合結果表示手段と、
前記照合手段の照合結果に基づき、前記画像データを送信する通信手段とを有し、
前記照合手段は、前記被写体選択手段で選択した被写体と前記所有者識別情報との類似度を判定し、
前記照合結果表示手段は、該類似度が所定値よりも高いと判断した前記所有者識別情報に対応する前記顔画像データの少なくとも一つを選択可能に表示することを特徴とする撮像装置。
【請求項１６】
撮像装置の制御方法であって、
被写体を撮像する撮像ステップと、
画像データを表示装置に表示する表示ステップと、
他装置に関連付けられた人物を識別する少なくとも顔画像データを含む人物識別情報を記録媒体に保持する保持ステップと、
前記画像データの中の被写体を検出する検出ステップと、
前記検出ステップで検出した被写体を選択する被写体選択ステップと、
前記被写体選択ステップで選択した被写体と前記記録媒体に保持した人物識別情報とを照合する照合ステップと、
前記照合ステップの照合結果を、前記画像データと同一画面において表示する照合結果表示ステップと、
前記照合ステップの照合結果に基づき、前記画像データを送信する通信ステップとを有し、
前記照合ステップでは、前記被写体選択ステップで選択した被写体と前記人物識別情報との類似度を判定し、
前記照合結果表示ステップでは、該類似度が所定値よりも高いと判断した前記人物識別情報に対応する前記顔画像データの少なくとも一つを選択可能に表示することを特徴とする撮像装置の制御方法。
【請求項１７】
撮像装置の制御方法であって、
画像データを表示装置に表示する表示ステップと、
他装置の所有者を識別する所有者識別情報を記録媒体に保持する保持ステップと、
顔画像データを受信する受信ステップと、
前記受信ステップで受信した顔画像データと前記記録媒体に保持した所有者識別情報とを関連付ける関連付けステップと、
前記画像データの中の被写体を検出する検出ステップと、
前記検出ステップで検出した被写体を選択する被写体選択ステップと、
前記被写体選択ステップで選択した被写体と前記記録媒体に保持した所有者識別情報とを照合する照合ステップと、
前記照合ステップの照合結果を、前記画像データと同一画面において表示する照合結果表示ステップと、
前記照合ステップの照合結果に基づき、前記画像データを送信する通信ステップとを有し、
前記照合ステップでは、前記被写体選択ステップで選択した被写体と前記所有者識別情報との類似度を判定し、
前記照合結果表示ステップでは、該類似度が所定値よりも高いと判断した前記所有者識別情報に対応する前記顔画像データの少なくとも一つを選択可能に表示することを特徴とする撮像装置の制御方法。
【請求項１８】
撮像装置の制御をコンピュータに実行させるためのプログラムであって、
被写体を撮像する撮像ステップと、
画像データを表示装置に表示する表示ステップと、
他装置に関連付けられた人物を識別する少なくとも顔画像データを含む人物識別情報を記録媒体に保持する保持ステップと、
前記画像データの中の被写体を検出する検出ステップと、
前記検出ステップで検出した被写体を選択する被写体選択ステップと、
前記被写体選択ステップで選択した被写体と前記記録媒体に保持した人物識別情報とを照合する照合ステップと、
前記照合ステップの照合結果を、前記画像データと同一画面において表示する照合結果表示ステップと、
前記照合ステップの照合結果に基づき、前記画像データを送信する通信ステップとをコンピュータに実行させ、
前記照合ステップでは、前記被写体選択ステップで選択した被写体と前記人物識別情報との類似度を判定し、
前記照合結果表示ステップでは、該類似度が所定値よりも高いと判断した前記人物識別情報に対応する前記顔画像データの少なくとも一つを選択可能に表示することを特徴とするプログラム。
【請求項１９】
撮像装置の制御をコンピュータに実行させるためのプログラムであって、
画像データを表示装置に表示する表示ステップと、
他装置の所有者を識別する所有者識別情報を記録媒体に保持する保持ステップと、
顔画像データを受信する受信ステップと、
前記受信ステップで受信した顔画像データと前記記録媒体に保持した所有者識別情報とを関連付ける関連付けステップと、
前記画像データの中の被写体を検出する検出ステップと、
前記検出ステップで検出した被写体を選択する被写体選択ステップと、
前記被写体選択ステップで選択した被写体と前記記録媒体に保持した所有者識別情報とを照合する照合ステップと、
前記照合ステップの照合結果を、前記画像データと同一画面において表示する照合結果表示ステップと、
前記照合ステップの照合結果に基づき、前記画像データを送信する通信ステップとをコンピュータに実行させ、
前記照合ステップでは、前記被写体選択ステップで選択した被写体と前記所有者識別情報との類似度を判定し、
前記照合結果表示ステップでは、該類似度が所定値よりも高いと判断した前記所有者識別情報に対応する前記顔画像データの少なくとも一つを選択可能に表示することを特徴とするプログラム。
【手続補正２】
【補正対象書類名】明細書
【補正対象項目名】０００９
【補正方法】変更
【補正の内容】
【０００９】
本発明の撮像装置は、被写体を撮像する撮像手段と、画像データを表示する表示手段と、他装置に関連付けられた人物を識別する少なくとも顔画像データを含む人物識別情報を保持する保持手段と、前記画像データの中の被写体を検出する検出手段と、前記検出手段で検出した被写体を選択する被写体選択手段と、前記被写体選択手段で選択した被写体と前記保持手段で保持した人物識別情報とを照合する照合手段と、前記照合手段の照合結果を、前記画像データと同一画面において表示する照合結果表示手段と、前記照合手段の照合結果に基づき、前記画像データを送信する通信手段とを有し、前記照合手段は、前記被写体選択手段で選択した被写体と前記人物識別情報との類似度を判定し、前記照合結果表示手段は、該類似度が所定値よりも高いと判断した前記人物識別情報に対応する前記顔画像データの少なくとも一つを選択可能に表示することを特徴とする。
また、本発明の撮像装置は、画像データを表示する表示手段と、他装置の所有者を識別する所有者識別情報を保持する保持手段と、顔画像データを受信する受信手段と、前記受信手段で受信した顔画像データと前記保持手段で保持する所有者識別情報とを関連付ける関連付け手段と、前記画像データの中の被写体を検出する検出手段と、前記検出手段で検出した被写体を選択する被写体選択手段と、前記被写体選択手段で選択した被写体と前記保持手段で保持した所有者識別情報とを照合する照合手段と、前記照合手段の照合結果を、前記画像データと同一画面において表示する照合結果表示手段と、前記照合手段の照合結果に基づき、前記画像データを送信する通信手段とを有し、前記照合手段は、前記被写体選択手段で選択した被写体と前記所有者識別情報との類似度を判定し、前記照合結果表示手段は、該類似度が所定値よりも高いと判断した前記所有者識別情報に対応する前記顔画像データの少なくとも一つを選択可能に表示することを特徴とする。
また、本発明の撮像装置の制御方法は、撮像装置の制御方法であって、被写体を撮像する撮像ステップと、画像データを表示装置に表示する表示ステップと、他装置に関連付けられた人物を識別する少なくとも顔画像データを含む人物識別情報を記録媒体に保持する保持ステップと、前記画像データの中の被写体を検出する検出ステップと、前記検出ステップで検出した被写体を選択する被写体選択ステップと、前記被写体選択ステップで選択した被写体と前記記録媒体に保持した人物識別情報とを照合する照合ステップと、前記照合ステップの照合結果を、前記画像データと同一画面において表示する照合結果表示ステップと、前記照合ステップの照合結果に基づき、前記画像データを送信する通信ステップとを有し、前記照合ステップでは、前記被写体選択ステップで選択した被写体と前記人物識別情報との類似度を判定し、前記照合結果表示ステップでは、該類似度が所定値よりも高いと判断した前記人物識別情報に対応する前記顔画像データの少なくとも一つを選択可能に表示することを特徴とする。
また、本発明の撮像装置の制御方法は、撮像装置の制御方法であって、画像データを表示装置に表示する表示ステップと、他装置の所有者を識別する所有者識別情報を記録媒体に保持する保持ステップと、顔画像データを受信する受信ステップと、前記受信ステップで受信した顔画像データと前記記録媒体に保持した所有者識別情報とを関連付ける関連付けステップと、前記画像データの中の被写体を検出する検出ステップと、前記検出ステップで検出した被写体を選択する被写体選択ステップと、前記被写体選択ステップで選択した被写体と前記記録媒体に保持した所有者識別情報とを照合する照合ステップと、前記照合ステップの照合結果を、前記画像データと同一画面において表示する照合結果表示ステップと、前記照合ステップの照合結果に基づき、前記画像データを送信する通信ステップとを有し、前記照合ステップでは、前記被写体選択ステップで選択した被写体と前記所有者識別情報との類似度を判定し、前記照合結果表示ステップでは、該類似度が所定値よりも高いと判断した前記所有者識別情報に対応する前記顔画像データの少なくとも一つを選択可能に表示することを特徴とする。
また、本発明のプログラムは、撮像装置の制御をコンピュータに実行させるためのプログラムであって、被写体を撮像する撮像ステップと、画像データを表示装置に表示する表示ステップと、他装置に関連付けられた人物を識別する少なくとも顔画像データを含む人物識別情報を記録媒体に保持する保持ステップと、前記画像データの中の被写体を検出する検出ステップと、前記検出ステップで検出した被写体を選択する被写体選択ステップと、前記被写体選択ステップで選択した被写体と前記記録媒体に保持した人物識別情報とを照合する照合ステップと、前記照合ステップの照合結果を、前記画像データと同一画面において表示する照合結果表示ステップと、前記照合ステップの照合結果に基づき、前記画像データを送信する通信ステップとをコンピュータに実行させ、前記照合ステップでは、前記被写体選択ステップで選択した被写体と前記人物識別情報との類似度を判定し、前記照合結果表示ステップでは、該類似度が所定値よりも高いと判断した前記人物識別情報に対応する前記顔画像データの少なくとも一つを選択可能に表示することを特徴とする。
また、本発明のプログラムは、撮像装置の制御をコンピュータに実行させるためのプログラムであって、画像データを表示装置に表示する表示ステップと、他装置の所有者を識別する所有者識別情報を記録媒体に保持する保持ステップと、顔画像データを受信する受信ステップと、前記受信ステップで受信した顔画像データと前記記録媒体に保持した所有者識別情報とを関連付ける関連付けステップと、前記画像データの中の被写体を検出する検出ステップと、前記検出ステップで検出した被写体を選択する被写体選択ステップと、前記被写体選択ステップで選択した被写体と前記記録媒体に保持した所有者識別情報とを照合する照合ステップと、前記照合ステップの照合結果を、前記画像データと同一画面において表示する照合結果表示ステップと、前記照合ステップの照合結果に基づき、前記画像データを送信する通信ステップとをコンピュータに実行させ、前記照合ステップでは、前記被写体選択ステップで選択した被写体と前記所有者識別情報との類似度を判定し、前記照合結果表示ステップでは、該類似度が所定値よりも高いと判断した前記所有者識別情報に対応する前記顔画像データの少なくとも一つを選択可能に表示することを特徴とする。